(57)【要約】【課題】固定した状態の保持と可動域訓練に適応できるようにすると共に、屈曲角度の割出しが小さく、シンプルでコンパクトな義肢装具用関節継手を提供する。【解決手段】上部継手杆１の下端部と、下部継手杆２の上端部に円板状の基盤３，４を設け、上部継手杆１の基盤３には凹溝３ａ，３ａを形成し、下部継手杆２の基盤４には凸片４ａ，４ａを設けて、基盤３の凹溝３ａ，３ａに、基盤４の凸片４ａ，４ａが嵌合するようにすると共に、基盤３の軸部３ｂに基盤４の軸穴部４ｂを嵌合させて、ボルト５により下部継手杆２が基盤３，４の中心部で回動可能に枢着してなり、前記基盤３に形成された片方の凹溝３ａに球体６を整列装填すると共に別方の凹溝３ａに伸縮自在なバネ７を装着してなる義肢装具用関節継手。【選択図】図１
0003105373.tif 000002
【実用新案登録請求の範囲】
【請求項１】
円周に沿って球体を整列装填する凹溝を形成した円板状の基盤を下端部に設けた上部継手杆と、前記凹溝に嵌合する凸片を円板状の面に設けた基盤を上端部に設けた下部継手杆とを基盤の中心で回転可能に枢着し、前記上部継手杆の基盤に形成された凹溝に球体を装填して、該球体に、下部継手杆の基盤に設けた凸片を当てて下部継手杆の回動が規制されるように構成されてなることを特徴とする義肢装具用関節継手。
【請求項２】
上部継手杆の基盤の円周に沿って凹溝を左右に略二分して形成し、該凹溝に嵌合するように下部継手杆の基盤に凸片を二箇所設けて、上部継手杆の基盤と下部継手杆の基盤とを基盤の中心で回動可能に枢着し、前記上部継手杆の基盤に略二分して形成された片半分の凹溝に球体を装填すると共に、別半分の凹溝に伸縮自在なバネを装着してなることを特徴とする請求項１記載の義肢装具用関節継手。
【請求項３】
上部継手杆の基盤の円周に沿って凹溝を二列にして形成し、該凹溝に嵌合するように下部継手杆の基盤に凸片を二箇所設けて、上部継手杆の基盤と下部継手杆の基盤とを基盤の中心で回動可能に枢着し、前記上部継手杆の基盤に二列にして形成された片列目の凹溝に球体を装填すると共に、別列目の凹溝に伸縮自在なバネを装着してなることを特徴とする請求項１記載の義肢装具用関節継手。
【考案の詳細な説明】
【技術分野】
【０００１】
本考案は、固まった関節の動きを改善するための関節可動域訓練における義肢装具用関節継手に関するものである。
【背景技術】
【０００２】
脳卒中やリウマチ、及び交通事故等で身体に障害を持った人が家庭や社会に復帰し、自立するためには、麻痺や寝たきりで弱くなった筋肉の筋力増強訓練、関節リウマチや手術後に動かさないことで固まった関節の動きを改善するための関節可動域訓練、寝返りや起き上がり、立ち上がり等の基本動作及び歩行の練習を必要とする。
【０００３】
前記関節可動域訓練においては、義肢装具に関節継手が使用されており、該関節継手は、可動域を有しない固定タイプのものと、一定の角度間隔で割出し、ボルト等で設定して可動域訓練を行うタイプのものが市販されているが、可動域訓練により固まった関節の動きが改善するにつれ、固定タイプのものに取り換える必要がある。
【０００４】
固定タイプと可動域訓練タイプのものを一体で行うため、例えば特許文献１では下部支柱（継手杆）の上端部と上部支柱（継手杆）の下端部を腕板を介して円板状の基板の中心部で枢着させ、円板状の基板の周縁に多数のネジ孔を設けて、該ネジ孔に、下部支柱に設けたネジ孔より固定ネジで下部支柱を固定するようにすると共に、下部支柱の左右両側で前記基板のネジ孔に左右一対の可動制限用のネジをねじ込んで立て、該ネジとネジの可動制限域内で可動訓練を行うようにした関節継手が開示されており、上部支柱の下端部に腕板を接続してリングブロックを嵌め合わせ、リングブロックを下方へ摺動させて円板状の基板の上端に設けられた溝にリングブロックの下端縁部を係合させることにより、腕板と円板状の基盤とが固定されるようになっており、腕板と円板状の基板が固定された状態で、下部支柱を固定ネジで円板状の基板に止めることにより、上部支柱と下部支柱とが固定された状態となり、固定ネジを取り外すことにより、下部支柱は左右一対の可動制限用のネジとネジの可動制限域内で可動となり、可動域訓練が行えるようになっている。
【特許文献１】実開昭６３−１９３０１２号公報
【考案の開示】
【考案が解決しようとする課題】
【０００５】
しかしながら、上記特許文献１に開示される関節継手では、円板状の基板の周縁にネジ孔を開孔して固定ネジで止めることにより、下部支柱（継手杆）の屈曲角度を割出して固定するから、屈曲角度を小さくして割出すには、円板状の基板縁に、例えば復列にして相互に角度差をもって多数のネジ孔に開孔しなければならず、円板状の基板の大きさが大きくなって小関節用の継手には不向きであり、又、可動制限域に左右一対の可動制限用のネジをねじ込んで立て、ネジとネジの間の制限域内で下部支柱の左右両側を当てながら繰返し可動域訓練することからネジが緩んで脱落しやすく、安全上の配慮が必要であり、基板の上端に設けられたリングブロックを係合させるための溝に衣服が引掛かって衣服が損傷するなどの問題点がある。
従って、本考案が解決しようとうする課題は上記するような問題点を解消し得る義肢装具用関節継手を提供することにある。
【課題を解決するための手段】
【０００６】
上記課題を解決するため、本考案は以下に記載する手段を講じてなる義肢装具用関節継手とした。
すなわち、
（１）円周に沿って球体を整列装填する凹溝を形成した円板状の基盤を下端部に設けた上部継手杆と、前記凹溝に嵌合する凸片を円板状の面に設けた基盤を上端部に設けた下部継手杆とを基盤の中心で回動可能に枢着し、前記上部継手杆の基盤に形成された凹溝に球体を装填して、該球体に、下部継手杆に設けた凸片を当てて下部継手杆の回動が規制されるように構成されてなることを特徴とする義肢装具用関節継手である。
（２）上部継手杆の基盤の円周に沿って凹溝を左右に略二分して形成し、該凹溝に嵌合するように下部継手杆の基盤に凸片を二箇所設けて、上部継手杆の基盤と下部継手杆の基盤とを基盤の中心で回動可能に枢着し、前記上部継手杆の基盤に略二分して形成された片半分の凹溝に球体を装填すると共に、別半分の凹溝に伸縮自在なバネを装着してなることを特徴とする前項１記載の義肢装具用関節継手である。
（３）上部継手杆の基盤の円周に沿って凹溝を二列にして形成し、該凹溝に嵌合するように下部継手杆の基盤に凸片を二箇所設けて、上部継手杆の基盤と下部継手杆の基盤とを基盤の中心で回動可能に枢着し、前記上部継手杆の基盤に二列にして形成された片列目の凹溝に球体を装填すると共に、別列目の凹溝に伸縮自在なバネを装着してなることを特徴とする前項（１）記載の義肢装具用関節継手である。
【考案の効果】
【０００７】
本考案に係る義肢装具用関節継手は、上記手段に記載される如く構成されたものであり、上部継手杆の基盤の円周に沿って形成された凹溝に整列装填した球体に、下部継手杆の基盤に設けた凸片を当てて球体で挟持することにより、下部継手杆が固定された状態に保たれると共に、球体を抜き取ることにより、抜き取った球体の個数部分が隙間となり、該隙間の範囲内で下部継手杆を可動させて可動域訓練が行える。
【０００８】
割出し角度は、球体の直径と、回動可能に枢着された基盤の中心から凹溝に整列装填された球体の中心迄の距離で割出され、割出し角度が小さくできて屈曲角度の小さい範囲の調整に効果を奏すると共に、シンプルでコンパクトな関節継手を得るのに効果を奏し、小関節用の継手にも好適となる。
【０００９】
又、下部継手杆の基盤に設けられた凸片を、上部継手杆の基盤の凹溝に整列装填された球体に当てて下部継手杆の回動を規制し、可動域訓練を行うから、繰返し当てて可動域訓練を行ってもネジのように緩んで脱落することがなく安全に行えると共に、継手外部に凹凸を形成しないから、継手装着時などに衣服が引掛かって損傷するおそれがない。
【００１０】
更に、伸縮自在なバネを上部継手杆の凹溝に装着することにより、下部継手杆にバネ力を付加して可動域訓練できるから、可動域訓練を行いながら筋力アップを図ることができる。
【考案を実施するための最良の形態】
【００１１】
本考案を実施するための最良の形態は、円周に沿って球体を整列装填する凹溝を形成した円板状の基盤を下端部に設けた上部継手杆と、前記凹溝に嵌合する凸片を円板状の面に設けた基盤を上端部に設けた下部継手杆とを基盤の中心で回転可能に枢着し、前記上部継手杆の基盤に形成された凹溝に球体を装填すると共に、伸縮自在なバネを装着して、下部継手杆の基盤に設けられた凸片を球体と伸縮自在なバネに当てて下部継手杆の回動が規制されるようにしたものであり、以下実施例にて図面を参照して説明する。
【実施例１】
【００１２】
図１は、本考案に係る義肢装具用関節継手の実施例１を示す図面であり、（Ａ）はその平面図、（Ｂ）は（Ａ）のＭ−Ｍ断面図である。図１に示すように上部継手杆１の下端部と、下部継手杆２の上端部に円板状の基盤３，４が設けてあり、上部継手杆１の基盤３には凹溝３ａ，３ａが形成され、下部継手杆２の基盤４には凸片４ａ，４ａが設けられて、基盤３の凹溝３ａ，３ａに、基盤４の凸片４ａ，４ａが嵌合するようにすると共に、基盤３の軸部３ｂに基盤４の軸穴部４ｂを嵌合させて、ボルト５により下部継手杆２（又は上部継手杆１）が基盤３，４の中心部で回動可能に枢着されている。
【００１３】
基盤３の円周に沿って左右に略二分して形成された凹溝３ａ，３ａの片半分の凹溝には球体６，…が整列装填され、別半分の凹溝には伸縮自在なバネ７が装着されて、基盤４に設けられた凸片４ａ，４ａの片方が球体６で押えつけるようにして挟持され、真直ぐな状態で固定された状態となっており、球体６を抜き取ることにより、抜き取った球体の隙間の範囲内で下部継手杆２が回動可能となり、下部継手杆２の回動により下部継手杆２の基盤４に設けられた別方の凸片４ａが伸縮自在なバネ７を押し付けてバネの力がかかるようにしてある。
【００１４】
図２は、上部継手杆１の斜視図で、下端部に円板状の基盤３が設けてあり、基盤３の円周に沿って凹溝３ａ，３ａが形成され、該凹溝３ａ，３ａは円弧状にして左右に略二分されて形成されており、基盤３の中心には軸部３ｂが凸設されてネジ穴３ｃが穿設されていて、上部継手杆１には、取付け装着するための取付穴１ａ，１ａが穿設されている。
【００１５】
図３は、下部継手杆２の斜視図で、上端部に円板状の基盤４が設けてあり、基盤４の面には、上部継手杆１の基盤３に形成された凹溝３ａ，３ａに嵌合するように二箇所の凸片４ａ，４ａが凸設されており、二箇所の凸片４ａ，４ａのうちの一箇所には、前記基盤３の凹溝３ａへ球体を出し入れするための穴４ｃ，４ｃが穿設されてネジ等で封止されている。基盤４の中心部は、前記基盤３の中心部に凸設された軸部３ｂに回動可能に嵌合させるための軸穴部４ｂが穿設されている。
【００１６】
前記基盤３に形成された片半分の凹溝３ａに整列装填される球体６は、主として表面が焼入硬化された市販の鋼球が使用され、別半分の凹溝３ａに装着される伸縮自在なバネ７は、主としてコイル状に巻かれたバネであり、球体６の外径とバネ７のコイル外径はおおむね１．５〜４ｍｍとしており、小関節用の関節継手になるにつれ、或いは屈曲角度割出しが小さくなるにつれ、小径となる。
【００１７】
次に、以上のようにしてなる義肢装具用関節継手による可動域訓練の使用態様例について図４において説明する。
図４の（ａ）は、上部継手杆１に対し下部継手杆２が真直ぐな状態から片半分の凹溝３ａに整列装填された球体６を抜き取った隙間Ｓ範囲の屈曲角度Ｐの可動域内で可動訓練するのに適応される使用態様例であり、隙間Ｓの範囲内で凸片４ａを球体６に当てることにより下部継手杆２の回動が規制され、別半分の凹溝３ａに装着された伸縮自在なバネ７は別方の凸片４ａに押されて下部継手杆２にバネの力がかかるようになっている。隙間Ｓに球体６を詰めれば凸片４ａが球体６，６，…が挟持されて下部継手杆２は屈曲角度Ｐの状態で固定される。
【００１８】
図４の（ｂ）は、上部継手杆１に対し下部継手杆２が屈曲角度Ｑの状態から片半分の凹溝３ａに整列装填された球体６を抜き取った隙間Ｓ範囲の屈曲角度Ｐの可動域内で可動訓練するのに適応される使用態様例であり、隙間Ｓの範囲内で凸片４ａを球体６に当てることにより下部継手杆２の回動が規制され、別半分の凹溝３ａに装着された伸縮自在なバネ７は別方凸片４ａに押されて下部継手杆２にバネの力がかかるようになっている。
隙間Ｓの球体６を詰めれば凸片４ａが球体６，６，…で挟持されて下部継手杆２は屈曲角度Ｐ＋Ｑの状態で固定される。
【実施例２】
【００１９】
図５は、本考案に係る義肢装具用関節継手の実施例２を示す図面であり、（Ａ）はその平面図、（Ｂ）は（Ａ）のＮ−Ｎ断面図である。図５に示すように上部継手杆１の下端部と、下部継手杆２の上端部に円板状の基盤３，４が設けてあり、上部継手杆１の基盤３には凹溝３ａ，３ａが形成され、下部継手杆２の基盤４には凸片４ａ，４ａが設けられて、基盤３の凹溝３ａ，３ａに、基盤４の凸片４ａ，４ａが嵌合するようにすると共に基盤３の軸部３ｂに基盤４の軸穴部４ｂを嵌合させて、ボルト５により下部継手杆２（又は上部継手杆１）が基盤３，４の中心で回動可能に枢着されている。
【００２０】
基盤３の円周に沿って二列にして形成された凹溝３ａ，３ａの片列目には球体６，…が整列装填され、別列目には伸縮自在なバネ７が装着されて、基盤４に設けられた凸片４ａ，４ａの片方が球体６で押え付けるようにして挟持され、真直ぐな状態で固定された状態となっており、球体６を抜き取ることにより、抜き取った球体の隙間の範囲内で下部継手杆２が回動可能となり、下部継手杆２の可動により下部継手杆２の基盤４に設けられた別方の凸片４ａが伸縮自在なバネ７を押し付けてバネの力がかかるようにしてある。
【００２１】
図６は上部継手杆１の斜視図で、下端部に円板状の基盤３が設けてあり、基盤３の円周に沿って凹溝３ａ，３ａが形成され、該凹溝は円弧状にして二列にして形成されており、基盤３の中心には軸部３ｂが凸設されてネジ穴３ｃが穿設されていて、上部継手杆１には、取付け装着するための取付穴１ａ，１ａが穿設されている。
【００２２】
図７は下部継手杆２の斜視図で、上端部に円板状の基盤４が設けてあり、基盤４の面には、上部継手杆１の基盤３に形成された二列の凹溝３ａ，３ａに嵌合するように二箇所の凸片４ａ，４ａが凸設されており、二箇所の凸片４ａ，４ａのうちの一箇所には、前記基盤３の凹溝３ａへ球体を出し入れするための穴４ｃ，４ｃが穿設されてネジ等で封止されている。基盤４の中心部は、前記基盤３の中心部に凸設された軸部３ｂに回動可能に嵌合させるための軸穴部４ｂが穿設されている。
【００２３】
前記基盤３に形成された片列目の凹溝３ａに整列装填される球体６は、主として表面が焼入硬化された市販の鋼球が使用され、別列目の凹溝３ａに装着される伸縮自在なバネ７は、主としてコイル状に巻かれたバネであり、球体６の外径とバネ７のコイル外径はおおむね１．５〜４ｍｍとしており、基盤３に二列にして凹溝３ａを形成するため、実施例１の場合に較べ基盤３の外径は大きくなるが、凹溝３ａが円周に近い形状に形成されるため、屈曲角度が広範囲にとれる。
【００２４】
次に、実施例２のようにしてなる義肢装具用関節継手による可動域訓練の使用態様例について図８において説明する。
図８の（ａ）は、上部継手杆１に対し下部継手杆２が真直ぐな状態から片列目の凹溝３ａに整列装填された球体６を抜き取った隙間Ｓ範囲の屈曲角度Ｐの可動域内で可動訓練するのに適応される使用態様例であり、隙間Ｓの範囲内で凸片４ａを球体６に当てることにより下部継手杆２の回動が規制され、別列目の凹溝３ａに装着された伸縮自在なバネ７は別方の凸片４ａに押されて下部継手杆２にバネの力がかかるようになっている。隙間Ｓに球体６を詰めれば凸片４ａが球体６，６，…で挟持されて下部継手杆２は屈曲角度Ｐの状態で固定される。
【００２５】
図８の（ｂ）は、上部継手杆１に対し下部継手杆２が屈曲角度Ｑの状態から片列目の凹溝３ａに整列装填された球体６を抜き取った隙間Ｓ範囲の屈曲角度Ｐの可動域内で可動訓練するのに適応される使用様態例であり、隙間Ｓの範囲内で凸片４ａを球体６に当てることにより下部継手杆２の回動が規制され、別列目の凹溝３ａに装着された伸縮自在なバネは別方の凸片４ａに押されて下部継手杆２にバネの力がかかるようになっている。隙間Ｓに球体６を詰めれば凸片４ａが球体６，６，…で挟持されて下部継手杆２は屈曲角度Ｐ＋Ｑの状態で固定される。
【００２６】
なお、実施例１，実施例２において、初期の可動域訓練ではバネ７の力がかかるとかなりきついことからバネ７を取り外して使用し、訓練が繰り返されるにつれてバネ７の力をかけてもきつくなくなった段階でバネ７を装着して筋力アップを図る。
【００２７】
図９は、以上のようにしてなる義肢装具用関節継手を手首部分に装着した例を示す。
上部継手杆１と下部継手杆２の基盤３，４の中心部を手首の関節部に位置させ、上部継手杆１の上端部が手首の腕部で固定され、下部継手杆２の下端部が手首の掌部で固定されて装着されており、下部継手杆２の可動域内で固まった手首の関節可動域訓練を行う。
なお、図示した反対側の手首部に装着する場合や、或いは手首を両側から挟むように装着する場合は、図９に図示した関節継手とは反対勝手の関節継手となる。
【産業上の利用可能性】
【００２８】
本考案に係る義肢装具用関節継手の上部継手杆に対し下部継手杆が真直ぐな状態や、小さな屈曲角度で割出した状態で固定されて保持される機能を利用すれば、靭帯を損傷した場合の動かしてはならない状態での保持用にも適用できる。
【図面の簡単な説明】
【００２９】
【図１】本考案に係る義肢装具用関節継手の実施例１を示す図面で、（Ａ）はその平面図、（Ｂ）は（Ａ）のＭ−Ｍ断面図である。
【図２】上部継手杆の斜視図である。
【図３】下部継手杆の斜視図である。
【図４】使用態様例を示す平面断面図である。
【図５】本考案に係る義肢装具用関節継手の実施例２を示す図面で、（Ａ）はその平面図、（Ｂ）は（Ａ）のＮ−Ｎ断面図である。
【図６】上部継手杆の斜視図である。
【図７】下部継手杆の斜視図である。
【図８】使用態様例を示す平面断面図である。
【図９】本考案に係る義肢装具用関節継手を手首部へ装着した例を示す図面である。
【符号の説明】
【００３０】
１  上部継手杆
１ａ，２ａ  取付穴
２  下部継手杆
３，４  基盤
３ａ  凹溝
３ｂ  軸部
３ｃ  ネジ穴
４ａ  凸片
４ｂ  軸穴部
４ｃ  穴
５  ボルト
６  球体
７  バネ
Ｓ  隙間
【図１】
0003105373.tif 000003
【図２】
0003105373.tif 000004
【図３】
0003105373.tif 000005
【図４】
0003105373.tif 000006
【図５】
0003105373.tif 000007
【図６】
0003105373.tif 000008
【図７】
0003105373.tif 000009
【図８】
0003105373.tif 000010
【図９】
0003105373.tif 000011